(57)【要約】【目的】  住宅内居住空間と戸外との往来が安全且つ、円滑に行える構成を提供すると共に、ポーチに設けるスロープ周辺の合理的な構成を提供するものである。【構成】  住宅１の玄関土間２において第１スロープ３の二つの側面の各々が上がり框４及び外壁の内側壁５に接する、上がり框４に横付けされた状況の第１スロープ３を設け、ポーチ６において第２スロープ７の住宅１寄りの側面が外壁８に接し、土間９に繋がる第２スロープ７を設け、外壁８と交差する玄関壁１０に玄関扉１１を設け、ポーチ６の戸外寄りの側面に接する第１壁１２を設け、第２スロープ７の戸外寄りの側面に接する第２壁１３を設け、第１壁１２及び第２壁１３がポーチ６及び第２スロープ７上にある住宅１が備える屋根１４を支持する様にする。【選択図】図１
2007332756.tif 000002
【特許請求の範囲】
【請求項１】
住宅（１）の玄関土間（２）において第１スロープ（３）の二つの側面の各々が上がり框（４）及び外壁の内側壁（５）に接する、上がり框（４）に横付けされた状況の第１スロープ（３）を設け、ポーチ（６）において第２スロープ（７）の住宅（１）寄りの側面が外壁（８）に接し、土間（９）に繋がる第２スロープ（７）を設け、外壁（８）と交差する玄関壁（１０）に玄関扉（１１）を設け、ポーチ（６）の戸外寄りの側面に接する第１壁（１２）を設け、第２スロープ（７）の戸外寄りの側面に接する第２壁（１３）を設け、第１壁（１２）及び第２壁（１３）がポーチ（６）及び第２スロープ（７）上にある住宅（１）が備える屋根（１４）を支持する様にしたポーチのスロープ構造。
【請求項２】
住宅（１）の玄関土間（２）において第１スロープ（３）の二つの側面の各々が上がり框（４）及び外壁の内側壁（５）に接する、上がり框（４）に横付けされた状況の第１スロープ（３）を設け、ポーチ（６）において第２スロープ（７）の住宅（１）寄りの側面が外壁（８）に接し、土間（９）に繋がる第２スロープ（７）を設け、外壁（８）と交差する玄関壁（１０）に玄関扉（１１）を設け、ポーチ（６）の戸外寄りの側面に接する第１壁（１２）を設け、第２スロープ（７）の戸外寄りの側面に接する第２壁（１３）を設け、第１壁（１２）及び第２壁（１３）がポーチ（６）及び第２スロープ（７）上にある住宅（１）が備える屋根（１４）を支持する様にしたポーチのスロープ構造であって、第１スロープ（３）に隣接する部屋（２０）に至る余剰空間を部屋（２０）の壁収納（２１）に使用する様にしたポーチのスロープ構造。
【請求項３】
住宅（１）の玄関土間（２）において第１スロープ（３）の二つの側面の各々が上がり框（４）及び外壁の内側壁（５）に接する、上がり框（４）に横付けされた状況の第１スロープ（３）を設け、ポーチ（６）において第２スロープ（７）の住宅（１）寄りの側面が外壁（８）に接し、土間（９）に繋がる第２スロープ（７）を設け、外壁（８）と交差する玄関壁（１０）に玄関扉（１１）を設け、ポーチ（６）の戸外寄りの側面及び、第２スロープ（７）の戸外寄りの側面に沿う複数の柱（２２）を設け、柱（２２）と柱（２２）との間の上部を占めるガラス壁（２３）を設け、柱（２２）と柱（２２）との間の下部を占める低層壁（２４）を設け、低層壁（２４）は第２スロープ（７）及び、ポーチ（６）と土間（９）とに生じる段差を隠蔽する程度に低く抑え、複数の柱（２２）がポーチ（６）及び第２スロープ（７）上にある住宅（１）が備える屋根（１４）を支持する様にしたポーチのスロープ構造。
【発明の詳細な説明】
【技術分野】
【０００１】  本発明は玄関土間に設けるスロープ及び、ポーチに設けるスロープに関するものである。
【背景技術】
【０００２】  住宅の玄関土間においてスロープの二つの側面の各々が上がり框及び壁に接する、上がり框に横付けされた状況のスロープを設け、スロープを玄関側壁の陰に隠蔽する様にしたものには特開２００３−０４１７４８号公報がある。
【発明が解決しようとする課題】
【０００３】  特開２００３−０４１７４８号公報のものは玄関土間に設けるスロープが玄関側壁と交差する壁に接して設けられている。玄関土間に設けるスロープの理想的な要素としては住宅内居住空間と戸外との往来が安全且つ、円滑に行えることが挙げられる。
本発明は住宅内居住空間と戸外との往来が安全且つ、円滑に行える構成を提供すると共に、ポーチに設けるスロープ周辺の合理的な構成を提供するものである。
【課題を解決するための手段】
【０００４】  住宅１の玄関土間２において第１スロープ３の二つの側面の各々が上がり框４及び外壁の内側壁５に接する、上がり框４に横付けされた状況の第１スロープ３を設け、ポーチ６において第２スロープ７の住宅１寄りの側面が外壁８に接し、土間９に繋がる第２スロープ７を設け、外壁８と交差する玄関壁１０に玄関扉１１を設け、ポーチ６の戸外寄りの側面に接する第１壁１２を設け、第２スロープ７の戸外寄りの側面に接する第２壁１３を設け、第１壁１２及び第２壁１３がポーチ６及び第２スロープ７上にある住宅１が備える屋根１４を支持する様にする。
【発明を実施するための最良の形態】
【０００５】  図１に示す様に住宅１の玄関土間２において第１スロープ３の二つの側面の各々が上がり框４及び外壁の内側壁５に接する、上がり框４に横付けされた状況の第１スロープ３を設ける。つまり、第１スロープ３は一方の側面が上がり框４に接すると共に、もう一方の側面が外壁８と交差する玄関壁１０にある玄関扉１１に至近する外壁の内側壁５に接する箇所に設けられることで住宅１内居住空間と玄関扉１１との往来が円滑に行える様になる。加えて、ホール１５と玄関土間２との段差越えは第１スロープ３を通行することで行われるために安全である。
又、図１に示す様にポーチ６において第２スロープ７の住宅１寄りの側面が外壁８に接する第２スロープ７を設ける。つまり、第２スロープ７は住宅１寄りの側面が外壁８に接し、第２スロープ７は土間９に繋がることで玄関扉１１と戸外との往来が円滑に行え、加えてポーチ６と土間９との段差越えは第２スロープ７を通行することで行われるために安全である。
又、玄関先周辺における安全上の構成としては、ポーチ６の戸外寄りの側面に接する第１壁１２を設け、第２スロープ７の戸外寄りの側面に接する第２壁１３を設け、第１壁１２及び第２壁１３がポーチ６及び第２スロープ７上にある住宅１が備える屋根１４を支持する様にし、ポーチ６及び第２スロープ７の通行の際に雨や雪により転倒することが無い様な抑止手段を講ずる。
なお、図１においては屋根１４の記載は省略して、間取りの状況が明瞭に把握できる様にしている。
【実施例】
【０００６】  又、第１壁１２及び第２壁１３が支持する屋根１４は階上の部屋やベランダ等の居住空間に代替されるものについても対応可能である。
又、第１壁１２及び第２壁１３に窓１６を設けて、ポーチ６及び第２スロープ７に採光される様にする。
又、第１スロープ３の通行時に使用する第１手摺り１７を設け、第２スロープ７の通行時に使用する第２手摺り１８を設ける。なお、１９は玄関土間２に設ける玄関収納である。
又、ポーチ６の規模或いは、ポーチ６と土間９とに生じる段差の規模によりポーチ６及び第２スロープ７の距離は第１スロープ３の距離を上回ることが理由で第１スロープ３に隣接する部屋２０に至る余剰空間が発生する。この余剰空間を部屋２０の一部に割り振るが、部屋２０と余剰空間との境界は第２スロープ７が介在することで凹凸が生じて部屋２０の壁としては馴染まないため、図１に示す様に部屋２０内の第１スロープ３寄りの壁に壁収納２１を設け、余剰空間を壁収納２１に使用してスペースの合理的な利用を図る様にする。
又、図２に示すものはポーチ６の戸外寄りの側面及び、第２スロープ７の戸外寄りの側面に沿う複数の柱２２を設け、柱２２と柱２２との間の上部を占めるガラス壁２３を設け、柱２２と柱２２との間の下部を占める低層壁２４を設け、低層壁２４は第２スロープ７及び、ポーチ６と土間９とに生じる段差を隠蔽する程度に低く抑え、複数の柱２２がポーチ６及び第２スロープ７上にある住宅１が備える屋根１４を支持する様にするものである。なお、図２においては低層壁２４により隠蔽されるポーチ６及び第２スロープ７の部位を点線で示している。
【発明の効果】
【０００７】（イ）  第１スロープ３及び第２スロープ７は外壁の内側壁５及び外壁８の表裏一体の壁に対して対称に配置されることで機能的な往来が可能になると共に、細長の形状の二つのスロープを一つのエリアに集約することで均衡ある間取りの構成にすることができる。
（ロ）  高床の住宅１内居住空間は湿気対策として効果があり、高床のポーチ６は洪水対策として効果がある反面、このために必要な段差については段差越えという労苦が伴うことになる。本発明のものはホール１５及び玄関土間２間に第１スロープ３を設け、ポーチ６及び土間９間に第２スロープ７を設けることでこの懸念事項を解決し、又、段差がある玄関周辺の環境を良好なものにすることで住宅１におけるバリアフリーの達成率を高めることができる。
（ハ）  第２スロープ７の戸外寄りの側面に接する第２壁１３を設けるのみでも屋根１４に対する支持力はあるが、ポーチ６の戸外寄りの側面においても第１壁１２を併設することで屋根１４に対する支持力の増大を図ることができる。併せて、第１壁１２によりポーチ６が風雨に晒されることが無いために好都合である。
（ニ）  第１壁１２及び第２壁１３により第２スロープ７及び、ポーチ６と土間９とに生じる段差を隠蔽することで玄関先周辺の外観を良好なものにすることができる。以上、（ハ）及び（ニ）の事項で示す様にポーチ６及び第２スロープ７により住宅１の間口に沿って展開される第１壁１２及び第２壁１３を合理的に活用することができる。
（ホ）  ポーチ６及び第２スロープ７上に設ける屋根は住宅１が備える屋根１４を活用することで耐風性に優れるものになる。
（ヘ）  図２に示す様に低層壁２４を設けることでポーチ６及び第２スロープ７への採光率を高められると共に、玄関先の見通しが効く様にする防犯機能を付加させることができる。
（ト）  本発明のものは第１スロープ３が玄関扉１１の至近にあるにもかかわらず戸外から玄関に入る際に見え難い箇所に配置され、特開２００３−０４１７４８号公報のものと同様にプライバシーが守られる特徴を有するものである。
【図面の簡単な説明】
【図１】  本発明の間取り図
【図２】  第１壁１２及び第２壁１３の実施例を示す斜視図
【符号の説明】
１  住宅                ２  玄関土間            ３  第１スロープ
４  上がり框            ５  外壁の内側壁        ６  ポーチ
７  第２スロープ        ８  外壁                ９  土間
１０  玄関壁            １１  玄関扉            １２  第１壁
１３  第２壁            １４  屋根              １５  ホール
１６  窓                １７  第１手摺り        １８  第２手摺り
１９  玄関収納          ２０  部屋              ２１  壁収納
２２  柱                ２３  ガラス壁          ２４  低層壁
【図１】
2007332756.tif 000003
【図２】
2007332756.tif 000004